(57)【要約】  特定部（８１０）が、携帯端末装置（８００）の動作モードを含む動作状態を特定し、特定結果を表示制御部（８２０）へ送る。情報処理装置（７００）と携帯端末装置（８００）とが連携動作しているとき、当該特定結果により、携帯端末装置（８００）の動作モードが変化していることが分ると、表示制御部（８２０）は、動作モードの変化に応じて、情報処理装置（７００）における第１表示領域（７２１）に表示させるアイコン及びその形状を含む表示指定を生成する。そして、表示制御部（８２０）は、生成された表示指定を情報処理装置（７００）へ送信する。このため、携帯端末装置への操作入力に際して、他の情報処理装置の入力部を適切に利用することができる。
2018117085.tif 000002
【特許請求の範囲】
【請求項１】
情報処理装置と接続可能な携帯端末装置であって、
前記携帯端末装置の動作モードを含む動作状態を特定する特定部と；
前記動作モードに応じたアイコンを、前記情報処理装置が備える入力部におけるユーザ操作を受付可能な操作領域に配置された第１表示領域に表示させる表示制御部と；
を備えることを特徴とする携帯端末装置。
【請求項２】
前記第１表示領域に表示されるアイコンの形状は、前記携帯端末装置が備える携帯表示部に表示されるアイコンの形状と同一である、ことを特徴とする請求項１に記載の携帯端末装置。
【請求項３】
前記表示制御部は、前記特定された動作状態の情報を、前記第１表示領域とは異なる前記情報処理装置に配置された第２表示領域に表示させる、ことを特徴とする請求項１又は２に記載の携帯端末装置。
【請求項４】
前記表示制御部は、前記動作モードが第１動作モードから第２動作モードに変化した場合、前記第１動作モードでは前記第１表示領域に表示されていたが、前記第２動作モードでは前記第１表示領域に表示されなくなったアイコンを前記携帯端末装置が備える携帯表示部に表示させる、ことを特徴とする請求項１〜３のいずれか一項に記載の携帯端末装置。
【請求項５】
携帯端末装置と接続可能な情報処理装置であって、
ユーザ操作を受付可能な操作領域を有する入力部と；
前記操作領域に配置され、前記携帯端末装置の動作モードに応じたアイコンを表示する第１表示領域を有する情報表示部と；
を備えることを特徴とする情報処理装置。
【請求項６】
前記操作領域は、触覚により識別可能な形状を有する、ことを特徴とする請求項５に記載の情報処理装置。
【請求項７】
前記操作領域は、前記操作領域の周辺領域に対して凸状の形状を有する、ことを特徴とする請求項６に記載の情報処理装置。
【請求項８】
前記操作領域は、前記操作領域の周辺領域に対して凹状の形状を有する、ことを特徴とする請求項６に記載の情報処理装置。
【請求項９】
前記情報表示部は、前記動作モードを含む前記携帯端末装置の動作状態を表示する第２表示領域を更に有する、ことを特徴とする請求項５〜８のいずれか一項に記載の情報処理装置。
【請求項１０】
前記携帯端末装置を着脱可能に保持する保持部を更に備える、ことを特徴とする請求項５〜９のいずれか一項に記載の情報処理装置。
【請求項１１】
情報処理装置と；携帯端末装置と；を備える連携システムであって、
前記情報処理装置は、
ユーザ操作を受付可能な操作領域を有する入力部と；
前記操作領域に配置され、アイコンを表示する表示領域を有する情報表示部と；を備え、
前記携帯端末装置は、
前記携帯端末装置の動作モードを含む動作状態を特定する特定部と；
前記動作モードに応じたアイコンを、前記表示領域に表示させる表示制御部と；を備える、
ことを特徴とする連携システム。
【請求項１２】
特定部と；表示制御部と；を備え、情報処理装置と接続可能な携帯端末装置において使用される表示制御方法であって、
前記特定部が、前記携帯端末装置の動作モードを含む動作状態を特定する特定工程と；
前記表示制御部が、前記動作モードに応じたアイコンを、前記情報処理装置が備える入力部におけるユーザ操作を受付可能な操作領域に配置された表示領域に表示させる表示制御工程と；
を備えることを特徴とする表示制御方法。
【請求項１３】
携帯端末装置が有するコンピュータに、請求項１２に記載の表示制御方法を実行させる、ことを特徴とする表示制御プログラム。
【発明の詳細な説明】
【技術分野】
【０００１】
本発明は、携帯端末装置、情報処理装置、連携システム、表示制御方法及び表示制御プログラムに関する。
【背景技術】
【０００２】
従来から、情報機器には、ハードキーやタッチキーが配置された入力部が備えられている。情報機器は、ユーザによる入力部への入力操作に応じて様々な処理を行うようになっている。【０００３】
こうした入力操作に関連する技術として、キー配置を確認しなくとも目的の入力を行うための技術が提案されている（特許文献１参照：以下、「従来例」という）。かかる従来例の技術では、入力音声の認識結果に所定のワードが含まれている場合には、タッチパネルが配置されている表示画面における表示画像を変化させずに、タッチパネルの有効範囲における面積の大きな範囲に、当該所定のワードに関連するタッチキーが割り付けられる。
【先行技術文献】
【特許文献】
【０００４】
【特許文献１】特開２０１０−２８１５７２号公報
【発明の開示】
【発明が解決しようとする課題】
【０００５】
従来例の技術では、タッチキーの機能の表示がなされない。このため、ユーザは、音声認識により所定のワードが正しく認識され、適切なタッチキーが割り付けられたか否かを知ることができない。この結果、ユーザがタッチキーを操作したときに、ユーザの意図しない処理が実行される可能性があった。【０００６】
ところで、スマートフォン等の携帯端末装置が広く普及している。こうした携帯端末装置における入力部は、通常、タッチパネルを備えて構成されているが、携帯端末装置は携帯可能であることが必須であり、タッチパネルの面積にも限界がある。そして、近年の携帯端末装置は、スマートフォンに代表されるように多機能であるため、タッチキーの数が多くなる傾向である。このため、個々のタッチキーの領域の面積は小さくなる傾向にある。この結果、タッチキーの操作に際しては、対応するアイコンの表示を注視して行うことが必要となってきている。以上のような傾向は、ユーザにとって、携帯端末装置に対する操作入力を簡易に行うことの妨げになりかねない。【０００７】
さて、入力部が配置された情報処理装置としては様々な種類があるが、当該入力部には、ユーザが操作入力を簡易に、かつ、確実に行えることができるようにするため、様々な工夫がなされている。例えば、車両に搭載される電装品に配置された入力部には、ユーザが操作入力を簡易に、安全に、かつ、確実に行えることができるようにするための工夫がなされている。【０００８】
このため、携帯端末装置への操作入力に際して、他の情報処理装置の入力部を利用することができる技術が望まれている。かかる要請に応えることが、本発明が解決すべき課題の一つとして挙げられる。
【課題を解決するための手段】
【０００９】
請求項１に記載の発明は、情報処理装置と接続可能な携帯端末装置であって、前記携帯端末装置の動作モードを含む動作状態を特定する特定部と；前記動作モードに応じたアイコンを、前記情報処理装置が備える入力部におけるユーザ操作を受付可能な操作領域に配置された第１表示領域に表示させる表示制御部と；を備えることを特徴とする携帯端末装置である。【００１０】
請求項５に記載の発明は、携帯端末装置と接続可能な情報処理装置であって、ユーザ操作を受付可能な操作領域を有する入力部と；前記操作領域に配置され、前記携帯端末装置の動作モードに応じたアイコンを表示する第１表示領域を有する情報表示部と；を備えることを特徴とする情報処理装置である。【００１１】
請求項１１に記載の発明は、情報処理装置と；携帯端末装置と；を備える連携システムであって、前記情報処理装置は、ユーザ操作を受付可能な操作領域を有する入力部と；前記操作領域に配置され、アイコンを表示する表示領域を有する情報表示部と；を備え、前記携帯端末装置は、前記携帯端末装置の動作モードを含む動作状態を特定する特定部と；前記動作モードに応じたアイコンを、前記表示領域に表示させる表示制御部と；を備える、ことを特徴とする連携システムである。【００１２】
請求項１２に記載の発明は、特定部と；表示制御部と；を備え、情報処理装置と接続可能な携帯端末装置において使用される表示制御方法であって、前記特定部が、前記携帯端末装置の動作モードを含む動作状態を特定する特定工程と；前記表示制御部が、前記動作モードに応じたアイコンを、前記情報処理装置が備える入力部におけるユーザ操作を受付可能な操作領域に配置された表示領域に表示させる表示制御工程と；を備えることを特徴とする表示制御方法である。【００１３】
請求項１３に記載の発明は、携帯端末装置が有するコンピュータに、請求項１２に記載の表示制御方法を実行させる、ことを特徴とする表示制御プログラムである。
【図面の簡単な説明】
【００１４】
【図１】一実施形態に係る連携システムの構成を示すブロック図である。
【図２】第１実施例に係る連携システムにおける情報処理装置及び携帯端末装置の外観を説明するための図である。
【図３】図２の情報処理装置及び携帯端末装置の内部構成を説明するための図である。
【図４】図３の制御部の処理を説明するためのフローチャートである。
【図５】第１実施例における表示変化例を示すための図である。
【図６】第２実施例に係る連携システムにおける情報処理装置及び携帯端末装置の内部構成を説明するための図である。
【図７】図６の制御部の処理を説明するためのフローチャートである。
【図８】第３実施例に係る連携システムにおける情報処理装置及び携帯端末装置の内部構成を説明するための図である。
【図９】図８の制御部による処理を説明するためのフローチャート（その１）である。
【図１０】図８の制御部による処理を説明するためのフローチャート（その２）である。
【図１１】第３実施例における表示変化例を示すための図である。
【符号の説明】
【００１５】
１００Ａ  …  情報処理装置
１１０    …  入力部
１２０    …  表示部（情報表示部）
１２１    …  第１表示領域
１２２    …  第２表示領域
１５０    …  保持部
２００Ａ  …  携帯端末装置
２２０Ａ  …  制御部（表示制御部及び特定部）
２３０    …  表示部（携帯表示部）
３００Ａ  …  連携システム
７００    …  情報処理装置
７１０    …  入力部
７２０    …  情報表示部
７２１    …  第１表示領域
７２２    …  第２表示領域
８００    …  携帯端末装置
８１０    …  特定部
８２０    …  表示制御部
８３０    …  携帯表示部
９００    …  連携システム
【発明を実施するための形態】
【００１６】
以下、本発明の一実施形態を、図１を参照して説明する。なお、以下の説明においては、同一又は同等の要素については同一符号を付し、重複する説明を省略する。
【００１７】
［構成］
図１には、一実施形態に係る連携システム９００の構成が示されている。この図１に示されるように、連携システム９００は、情報処理装置７００と、携帯端末装置８００とを備えている。ここで、携帯端末装置８００は、情報処理装置７００が備える不図示の保持部により、着脱可能に保持できるようになっている。
【００１８】
また、情報処理装置７００と携帯端末装置８００とは通信可能となっている。ここで、情報処理装置７００と携帯端末装置８００との通信のための接続は、有線ケーブルによる有線接続であってもよいし、近距離無線通信による無線接続であってもよい。
【００１９】
＜情報処理装置７００の構成＞
上記の情報処理装置７００は、入力部７１０と、情報表示部７２０と、表示処理部７３０とを備える。ここで、情報処理装置７００は、これらの要素以外の要素を備えている。そして、情報処理装置７００は、携帯端末装置８００と連携する際の動作と、携帯端末装置８００と連携しない際の動作とを切り替えて実行するようになっている。
【００２０】
上記の入力部７１０は、ユーザ操作を受付可能な少なくとも１つの操作領域を有している。本実施形態では、操作領域は、機械的な押し下げ操作により入力を行う複数のハードキーの領域となっている。そして、本実施形態では、ハードキーのキートップ部分は、周辺領域に対して凹状の形状を有しており、触覚により、周辺領域との識別が可能となっている。
【００２１】
上記の情報表示部７２０は、表示処理部７３０から送られた表示データを受ける。そして、情報表示部７２０は、当該表示データに従った表示を行う。
【００２２】
情報表示部７２０は、第１表示領域７２１と、第２表示領域７２２とを有している。ここで、第１表示領域７２１は、入力部７１０の操作領域に配置されている。本実施形態では、第１表示領域７２１は、上述したハードキーのキートップ部分に配置されている。すなわち、第１表示領域７２１は、ハードキーごとの個別領域という複数の個別領域から構成されている。そして、当該個別領域ごとに、アイコンの表示が可能となっている。
【００２３】
また、第２表示領域７２２は、入力部７１０とは異なる位置に配置される。第２表示領域７２２は、文字情報等が表示可能となっている。
【００２４】
上記の表示処理部７３０は、情報処理装置７００が携帯端末装置８００と連携動作しているときには、携帯端末装置８００から送信された表示指定を受信する。そして、表示処理部７３０は、当該表示指定に基づいて表示データを生成する。こうして生成された表示データは、情報表示部７２０へ送られる。この結果、情報表示部７２０では、携帯端末装置８００から送信された表示指定に従った表示が行われる。
【００２５】
なお、表示処理部７３０は、情報処理装置７００が携帯端末装置８００と連携動作していないとき、独自な表示データを生成し、生成された表示データを情報表示部７２０へ送る。この結果、情報表示部７２０では、情報処理装置７００に独自な表示が行われる。
【００２６】
＜携帯端末装置８００の構成＞
上記の携帯端末装置８００は、特定部８１０と、表示制御部８２０と、携帯表示部８３０とを備えている。ここで、携帯端末装置８００は、これらの要素以外の要素を備えており、携帯端末装置８００に固有の機能を果たすことができるようになっている。
【００２７】
上記の特定部８１０は、携帯端末装置８００が実行している動作モードを含む動作状態を特定する。そして、特定部８１０は、特定結果を表示制御部８２０へ送る。
【００２８】
上記の表示制御部８２０は、携帯端末装置８００の動作モードごとの第１表示領域７２１及び携帯表示部８３０へのアイコン表示割当に関するアイコン割当情報、及び、携帯端末装置８００の動作状態ごとの第２表示領域７２２における表示情報を内部に保持している。ここで、アイコン割当情報には、連携動作していないときにおける携帯表示部８３０に表示させるアイコンの形状であり、かつ、連携動作時に第１表示領域７２１に表示させるアイコンの形状の情報が含まれている。また、アイコン割当情報では、動作モードごとに携帯表示部８３０に割り当てられるアイコンとして、同一動作モードで第１表示領域７２１に割り当てられるアイコンが含まれないようになっている。
【００２９】
表示制御部８２０は、特定部８１０から送られた特定結果を受ける。そして、表示制御部８２０は、携帯端末装置８００が情報処理装置７００と連携動作しているときには、特定結果に応じて、情報処理装置７００（より詳しくは、表示処理部７３０）へ送信する表示指定、及び、携帯表示部８３０の表示画像に応じた表示データの生成を行う。なお、表示制御部８２０により実行される、連携動作時の表示指定及び表示データの生成処理については、後述する。
【００３０】
生成された表示指定は、情報処理装置７００へ送信される。また、生成された表示データの生成は、携帯表示部８３０へ送られる。
【００３１】
なお、表示制御部８２０は、携帯端末装置８００が情報処理装置７００と連携動作していないとき、独自な表示データを生成し、生成された表示データを携帯表示部８３０へ送る。この結果、携帯表示部８３０では、携帯端末装置８００に独自な表示が行われる。
【００３２】
上記の携帯表示部８３０は、表示制御部８２０から送られた表示データを受ける。そして、携帯表示部８３０は、当該表示データに従った表示を行う。
【００３３】
なお、携帯表示部８３０の表示画面上には不図示のタッチパネルが配置されており、当該タッチパネルを利用した入力操作ができるようになっている。
【００３４】
［動作］
次に、上記のように構成された連携システム９００の動作について、連係動作時における表示制御部８２０の処理に主に着目して説明する。なお、情報処理装置７００と携帯端末装置８００とは連携動作しているものとする。
【００３５】
連携動作時に特定部８１０による特定結果を受けると、表示制御部８２０は、携帯端末装置８００において動作状態遷移が発生したか否かの遷移判定を行う。当該遷移判定の結果が否定的であった場合には、遷移判定を繰り返す。
【００３６】
遷移判定の結果が肯定的であった場合には、表示制御部８２０は、携帯端末装置８００の動作状態遷移が動作モードの変化を伴う遷移であるか否かの動作モード変化判定を行う。動作モード変化判定の結果が否定的であった場合には、表示制御部８２０は、動作状態遷移後において携帯表示部８３０に表示させる画像に応じた表示データを生成する。そして、表示制御部８２０は、生成された表示データを携帯表示部８３０へ送る。この結果、携帯表示部８３０には、動作状態遷移後の画像が表示される。
【００３７】
なお、携帯表示部８３０に表示させる画像の表示データには、第１表示領域７２１に表示されているアイコンの表示データは含まれないようになっている。
【００３８】
引き続き、表示制御部８２０は、動作状態遷移に伴って、第２表示領域７２２に表示させる情報を変化させるか否かの情報変化判定を行う。情報変化判定の結果が否定的であった場合には、表示制御部８２０は、当該動作状態遷移に伴う処理を終了し、特定部８１０による次の特定結果の報告を待つ。
【００３９】
情報変化判定の結果が肯定的であった場合には、表示制御部８２０は、第２表示領域７２２に表示させる新たな情報を表示指定として生成する。そして、表示制御部８２０は、生成された表示指定を情報処理装置７００へ送信する。この結果、第２表示領域７２２には、新たな動作状態に応じた情報が表示される。そして、表示制御部８２０は、当該動作状態遷移に伴う処理を終了し、特定部８１０による次の特定結果の報告を待つ。
【００４０】
上述した動作モード変化判定の結果が肯定的であった場合には、表示制御部８２０は、まず、内部に保持している上述のアイコン割当情報に基づいて、第１表示領域７２１に表示させる新たな動作モードに応じたアイコン、及び、携帯表示部８３０に表示させる新たな動作モードに応じたアイコンを決定する。引き続き、表示制御部８２０は、内部に保持している上述の表示情報に基づいて、動作モードの変化に伴って、第２表示領域７２２に表示させる新たな動作モードを含む情報を生成する。
【００４１】
次に、表示制御部８２０は、携帯表示部８３０に表示させるアイコンとして決定されたアイコンを含む、動作モード変化後において携帯表示部８３０に表示させる画像に応じた表示データを生成する。そして、表示制御部８２０は、生成された表示データを携帯表示部８３０へ送る。この結果、携帯表示部８３０には、動作モード変化後の画像が表示される。
【００４２】
引き続き、表示制御部８２０は、第１表示領域７２１に表示させるアイコン及びその形状、並びに、第２表示領域７２２に表示させる新たな動作モードを含む情報を、表示指定として生成する。そして、表示制御部８２０は、生成された表示指定を情報処理装置７００へ送信する。この結果、第１表示領域７２１には、携帯端末装置８００の新たな動作モードに応じたアイコンが表示されるとともに、第２表示領域７２２には新たな動作モードに応じた情報が表示される。そして、表示制御部８２０は、当該動作モードの変化を伴う動作状態遷移に伴う処理を終了し、特定部８１０による次の特定結果の報告を待つ。
【００４３】
なお、情報処理装置７００と携帯端末装置８００とが連携動作していない場合には、上述したように、情報処理装置７００及び携帯端末装置８００のそれぞれにおいて、独自の表示が、情報表示部７２０及び携帯表示部８３０に表示される。
【００４４】
以上説明したように、本実施形態では、特定部８１０が、携帯端末装置８００の動作モードを含む動作状態を特定し、特定結果を表示制御部８２０へ送る。情報処理装置７００と携帯端末装置８００とが連携動作しているとき、当該特定結果により、動作モードが変化したことが分ると、表示制御部８２０は、動作モードの変化に応じて、情報処理装置７００における第１表示領域７２１に表示させるアイコン及びその形状を含む表示指定を生成する。そして、表示制御部８２０は、生成された表示指定を情報処理装置７００へ送信する。
【００４５】
したがって、本実施形態によれば、携帯端末装置８００に対する操作入力に際して、情報処理装置７００の入力部７１０を適切に利用することができ、ユーザの利便性を向上させることができる。
【００４６】
また、本実施形態では、第１表示領域７２１に表示されるアイコンの形状は、携帯端末装置８００と情報処理装置７００とが連携動作していない場合（接続されていない場合を含む）に、同一機能の操作のために、携帯表示部８３０に表示されるアイコンの形状と同一となっている。このため、第１表示領域７２１が配置された操作領域を利用して携帯端末装置８００に対する入力を行う際に、ユーザは、違和感なく入力操作を行うことができる。
【００４７】
また、本実施形態では、第２表示領域７２２に、携帯端末装置８００における動作状態の情報が表示される。このため、第１表示領域７２１が配置された操作領域を利用した入力を行うユーザの利便性を向上させることができる。
【００４８】
また、本実施形態では、情報処理装置７００の入力部７１０における操作領域の形状が、操作領域の周辺領域に対して凹状の形状を有しており、触覚により識別可能な形状としている。このため、ユーザによる操作領域の識別を容易に行うことができ、ユーザの利便性を向上させることができる。
【００４９】
また、本実施形態では、情報処理装置７００が備える保持部により、携帯端末装置８００が着脱自在に保持される。このため、例えば、情報処理装置７００が車載器の場合に、携帯端末装置８００をユーザにとって固定的な位置に配置することができ、ユーザが情報処理装置７００と携帯端末装置８００とを同時に視認可能な位置に配置されることになるため、利用者の利便性を向上させることができる。
【００５０】
［実施形態の変形］
本発明は、上記の実施形態に限定されるものではなく、様々な変形が可能である。
【００５１】
例えば、上記の実施形態では、情報処理装置の入力部における操作領域の形状を、操作領域の周辺領域に対して凹状の形状とした。これに対し、情報処理装置の入力部における操作領域の形状を、操作領域の周辺領域に対して凸状の形状としてもよい。この場合にも、ユーザによる操作領域の識別を容易に行うことができ、ユーザの利便性を向上させることができる。
【００５２】
また、上記の実施形態では、情報処理装置の入力部を、ハードキーを備えて構成するようにした。これに対し、情報処理装置の入力部を、タッチキー等のソフトキーを備えて構成するようにしてもよい。
【００５３】
また、携帯表示部に表示させるアイコンとしては、動作モードの変化前には第１表示領域に表示されていたが、動作モードの変化後には第１表示領域に表示されなくなったアイコンの内、変化後の動作モードでも表示を確保することが定められたアイコンが含まれるようにしてもよい。この場合には、変化後の動作モードにおいても操作対象となり得るアイコンを、携帯表示部及び第１表示領域のいずれかに合理性を持って表示させることができる。
【００５４】
また、上記の実施形態における情報処理装置は、車載器であってもよいし、家屋内に置かれる装置であってもよい。
【００５５】
また、上記の実施形態では、予め定められたアイコン割当情報に基づいて、第１表示領域に表示させるアイコン、及び、携帯表示部に表示させるアイコンを決定するようにした。これに対し、各動作モードで表示されたアイコンに対応する操作領域の使用頻度が高いほど優先順位を高くして、第１表示領域に表示させるアイコンを決定するようにしてもよい。
【００５６】
また、上記の実施形態では、表示制御部が、携帯端末装置の動作モードごとのアイコン表示割当の情報、及び、携帯端末装置の動作状態ごとの第２表示領域における表示情報を内部に保持するようにした。これに対し、携帯端末装置の動作モードごとのアイコン表示割当の情報、及び、携帯端末装置の動作状態ごとの第２表示領域における表示情報を外部サーバに保持させ、特定された動作状態に関するアイコン表示割当の情報及び第２表示領域における表示情報を、通信網を介して、当該外部サーバから取得するようにしてもよい。
【００５７】
また、上記の実施形態では、携帯端末装置側が、動作モードごとのアイコン表示割当を行うようにしたが、情報処理装置側が、当該アイコン表示割当を行うようにしてもよい。
【００５８】
なお、上記の実施形態における特定部８１０及び表示制御部８２０を、中央処理装置（ＣＰＵ：Central Processing Unit）等を備えた演算手段としてのコンピュータとして構成し、予め用意されたプログラムを当該コンピュータで実行することにより、上記の実施形態における特定部８１０及び表示制御部８２０の一部又は全部の機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【実施例】
【００５９】
以下、本発明の実施例を、図面を参照して説明する。なお、以下の説明及び図面においては、同一又は同等の要素については同一の符号を付し、重複する説明を省略する。【００６０】
［第１実施例］
まず、本発明の第１実施例を、図２〜図５を主に参照して説明する。【００６１】
＜構成＞
図２には、第１実施例に係る連携システム３００Ａの構成が概略的に示されている。図２に示されるように、連携システム３００Ａは、上述した実施形態における情報処理装置７００の機能を果たす情報処理装置１００Ａと、上述した実施形態における携帯端末装置８００の機能を果たす携帯端末装置２００Ａとを備えている。ここで、携帯端末装置２００Ａは、情報処理装置１００Ａが備える保持部１５０により、着脱可能に保持できるようになっている。【００６２】
また、携帯端末装置２００Ａと情報処理装置１００Ａとは通信可能となっている。ここで、携帯端末装置２００Ａと情報処理装置１００Ａとの通信のための接続は、有線ケーブルによる有線接続であってもよいし、近距離無線通信による無線接続であってもよい。【００６３】
上記の情報処理装置１００Ａは、保持部１５０に加えて、操作キー１１０1〜１１０4を備えている。第１実施例では、操作キー１１０1〜１１０4は、機械的な押し下げ操作により入力を行う複数のハードキーとなっている。そして、操作キー１１０1〜１１０4のキートップ部分である操作領域は、周辺領域に対して凹状の形状を有しており、触覚により、周辺領域との識別が可能となっている。【００６４】
以下、操作キー１１０1〜１１０4を総称する場合には、「入力部１１０」というものとする。なお、入力部１１０が、上述した実施形態における入力部７１０の機能を果たすようになっている。【００６５】
また、情報処理装置１００Ａは、アイコン表示可能な第１表示領域１２１1〜１２１4と、文字情報等を表示可能な第２表示領域１２２とを備えている。以下、第１表示領域１２１1〜１２１4を総称する場合には、「第１表示領域１２１」というものとする。【００６６】
なお、第１表示領域１２１が、上述した実施形態における第１表示領域７２１の機能を果たすようになっている、また、第２表示領域１２２が、上述した実施形態における第２表示領域７２２の機能を果たすようになっている。【００６７】
第１表示領域１２１j（ｊ＝１〜４）は、操作キー１１０jのキートップ部分に配置されている。また、第２表示領域１２２は、操作キー１１０1〜１１０4の配置領域とは異なる領域に配置されている。【００６８】
上記の携帯端末装置２００Ａは、表示部２３０を備えている。ここで、表示部２３０の表示画面上には不図示のタッチパネルが配置されており、当該タッチパネルを利用した入力操作ができるようになっている。なお、表示部２３０が、上述した実施形態における携帯表示部８３０の機能を果たすようになっている。【００６９】
《情報処理装置１００Ａの構成》
情報処理装置１００Ａは、図３に示されるように、上述した入力部１１０に加えて、表示部１２０と、処理部１３０Ａとを備える。ここで、情報処理装置１００Ａは、これらの要素以外の要素を備えている。そして、情報処理装置１００Ａは、携帯端末装置２００Ａと連携する際の動作と、携帯端末装置２００Ａと連携しない際の動作とを切り替えて実行するようになっている。【００７０】
上記の表示部１２０は、上述した第１表示領域１２１及び第２表示領域１２２を有している。表示部１２０は、処理部１３０Ａから送られた表示データを受ける。そして、表示部１２０は、当該表示データに従った表示を行う。すなわち、表示部１２０は、上述した実施形態における情報表示部７２０の機能を果たすようになっている。【００７１】
上記の処理部１３０Ａは、中央処理装置（ＣＰＵ：Central Processing Unit）等を備えて構成されている。処理部１３０Ａは、様々なプログラムを実行することにより、情報処理装置１００Ａの機能を実現させるようになっている。かかる機能には、上述した実施形態における表示処理部７３０の機能が含まれている。【００７２】
すなわち、処理部１３０Ａは、情報処理装置１００Ａが携帯端末装置２００Ａと連携動作しているときには、携帯端末装置２００Ａから送信された表示指定を受信する。そして、処理部１３０Ａは、当該表示指定に基づいて表示データを生成する。こうして生成された表示データは、表示部１２０へ送られる。この結果、表示部１２０では、携帯端末装置２００Ａから送信された表示指定に従った表示が行われる。【００７３】
なお、処理部１３０Ａは、情報処理装置１００Ａが携帯端末装置２００Ａと連携動作していないとき、独自な表示データを生成し、生成された表示データを表示部１２０へ送る。この結果、表示部１２０では、情報処理装置１００Ａに独自な表示が行われる。【００７４】
《携帯端末装置２００Ａの構成》
上記の携帯端末装置２００Ａは、図３に示されるように、上述した表示部２３０及びタッチパネルに加えて、制御部２２０Ａを備えている。【００７５】
上記の制御部２２０Ａは、中央処理装置（ＣＰＵ：Central Processing Unit）等を備えて構成されている。制御部２２０Ａは、様々なプログラムを実行することにより、携帯端末装置２００Ａの機能を実現させるようになっている。かかる機能には、上述した実施形態における特定部８１０及び表示制御部８２０の機能が含まれている。【００７６】
なお、制御部２２０Ａは、携帯端末装置２００Ａの動作モードごとの第１表示領域１２１及び表示部２３０へのアイコン表示割当に関するアイコン割当情報、及び、携帯端末装置２００Ａの動作状態ごとの第２表示領域１２２における表示情報を内部に保持している。ここで、アイコン割当情報には、連携動作していないときにおける表示部２３０に表示させるアイコンの形状であり、かつ、連携動作時に第１表示領域１２１に表示させるアイコンの形状の情報が含まれている。【００７７】
また、アイコン割当情報では、動作モードに応じて表示部２３０に割り当てられるアイコンには、第１表示領域１２１に割り当てられるアイコンが含まれないようになっている。さらに、アイコン割当情報では、表示部２３０に割り当てられるアイコンには、動作モードの変化前には第１表示領域１２１に表示されていたが、動作モードの変化後には第１表示領域１２１に表示されなくなったアイコンの内、変化後の動作モードでも表示を確保することが定められたアイコンが含まれるようになっている。【００７８】
制御部２２０Ａは、携帯端末装置２００Ａの動作モードを含む動作状態を特定する。ここで、動作モードとは携帯端末装置２００Ａによって実行される各々のアプリケーションの動作のことを示す。動作モードの具体例としては、ユーザに対して案内誘導を行うナビゲーションモード、音楽の再生制御等を行うオーディオモード、携帯端末装置２００Ａと情報処理装置１００Ａとを接続した際に最初に表示されるホーム画面モード等が挙げられる。なお、動作モードはこれらの例に限られず、通話モードやメールモード等の例示はしない様々なモードがあってもよい。【００７９】
動作モードがナビゲーションモードの場合にアイコンとして割り当てられる機能の例としては、ユーザの現在位置を表示する機能、地図を拡大縮小する拡大・縮小機能、ユーザの音声を受け付ける音声認識機能等が挙げられる。また、動作モードがオーディオモードの場合にアイコンとして割り当てられる機能の例として、音楽再生、一時停止、早送り、巻き戻しの機能等が挙げられる。【００８０】
また、動作モードがホーム画面モードの場合にアイコンとして割り当てられる機能の例として、上記ナビゲーションモードに移行する機能、上記オーディオモードに移行する機能等が挙げられる。また、ホーム画面モードの場合には、ユーザが頻繁に利用する機能をアイコンとして割り当てるようにしてもよい。【００８１】
なお、動作モードごとのアイコンに割り当てられる機能は上述の例には限られない。【００８２】
動作モードに応じたアイコンに割り当てられる機能は、動作モード毎に対応付けて記憶されている。この対応付けは予め製造者によって事前に設定されていてもよいし、ユーザが任意に変更するようにしてもよい。【００８３】
制御部２２０Ａは、携帯端末装置２００Ａが情報処理装置１００Ａと連携しているときには、特定結果に応じて、情報処理装置１００Ａ（より詳しくは、処理部１３０Ａ）へ送信する表示指定、及び、表示部２３０の表示画像に応じた表示データの生成を行う。なお、制御部２２０Ａにより実行される、連携動作時の表示指定及び表示データの生成処理については、後述する。【００８４】
生成された表示指定は、情報処理装置１００Ａへ送信される。また、生成された表示データは、表示部２３０へ送られる。【００８５】
なお、制御部２２０Ａは、携帯端末装置２００Ａが情報処理装置１００Ａと連携動作していないとき、独自な表示データを生成し、生成された表示データを表示部２３０へ送る。この結果、表示部２３０では、携帯端末装置２００Ａに独自な表示が行われる。【００８６】
上記の表示部２３０は、制御部２２０Ａから送られた表示データを受ける。そして、表示部２３０は、当該表示データに従った表示を行う。すなわち、表示部２３０は、上述した実施形態における携帯表示部８３０の機能を果たすようになっている。【００８７】
＜動作＞
次に、上記のように構成された連携システム３００Ａの動作について、連係動作時における制御部２２０Ａの表示制御処理に主に着目して説明する。なお、情報処理装置１００Ａと携帯端末装置２００Ａとは連携動作しているものとする。【００８８】
図４に示されるように、連携動作時に携帯端末装置２００Ａの動作モードを含む動作状態を特定されると、ステップＳ１１において、制御部２２０Ａが、特定結果に基づいて、携帯端末装置２００Ａにおいて動作状態遷移が発生したか否かを判定する。ステップＳ１１における判定結果が否定的であった場合（ステップＳ１１：Ｎ）には、処理は、後述するステップＳ１６へ進む。【００８９】
新たな動作状態が特定され、ステップＳ１１における判定結果が肯定的となると（ステップＳ１１：Ｙ）、処理はステップＳ１２へ進む。ステップＳ１２では、制御部２２０Ａが、動作モードが変化したか否かを判定する。【００９０】
ステップＳ１２における判定結果が否定的であった場合（ステップＳ１２：Ｎ）には、処理はステップＳ１３へ進む。ステップＳ１３では、制御部２２０Ａが、動作モードの変化を伴わない動作状態遷移時の情報処理装置１００Ａへの表示指定及び表示部２３０へ送る表示データを生成する。【００９１】
ステップＳ１３における処理では、制御部２２０Ａが、動作状態遷移後において表示部２３０に表示させる画像に応じた表示データを生成する。そして、制御部２２０Ａは、生成された表示データを表示部２３０へ送る。この結果、表示部２３０には、動作状態遷移後の画像が表示される。【００９２】
引き続き、制御部２２０Ａは、動作状態遷移に伴って、第２表示領域１２２に表示させる情報を変化させるか否かの情報変化判定を行う。情報変化判定の結果が否定的であった場合には、制御部２２０Ａは、表示指定及び表示データを生成することなく、ステップＳ１３の処理を終了する。そして、処理はステップＳ１６へ進む。【００９３】
情報変化判定の結果が肯定的であった場合には、制御部２２０Ａは、内部に保持している上述した表示情報に基づいて、第２表示領域１２２に表示させる新たな情報を表示指定として生成する。そして、制御部２２０Ａは、生成された表示指定を情報処理装置１００Ａへ送信する。この結果、第２表示領域１２２には、新たな動作状態に応じた情報が表示される。そして、ステップＳ１３の処理が終了し、処理はステップＳ１６へ進む。【００９４】
上述したステップＳ１２における判定結果が肯定的であった場合（ステップＳ１２：Ｙ）には、処理はステップＳ１４へ進む。ステップＳ１４では、制御部２２０Ａが、内部に保持している上述のアイコン割当情報に基づいて、第１表示領域１２１に表示させる新たな動作モードに応じたアイコン、及び、表示部２３０に表示させる新たな動作モードに応じたアイコンを決定する。【００９５】
次に、ステップＳ１５において、制御部２２０Ａが、表示部２３０に表示させるアイコンとして決定されたアイコンを含む、動作モード変化後において表示部２３０に表示させる画像に応じた表示データを生成する。そして、制御部２２０Ａは、生成された表示データを表示部２３０へ送る。この結果、表示部２３０には、動作モード変化後の画像が表示される。【００９６】
次いで、制御部２２０Ａは、動作モードの変化に伴って、第２表示領域１２２に表示させる新たな動作モードを含む情報を生成する。引き続き、制御部２２０Ａは、第１表示領域１２１に表示させるアイコン及びその形状、並びに、第２表示領域１２２に表示させる新たな動作モードを含む情報を、表示指定として生成する。そして、制御部２２０Ａは、生成された表示指定を情報処理装置１００Ａへ送信する。この結果、第１表示領域１２１には、携帯端末装置２００Ａの新たな動作モードに応じたアイコンが表示されるとともに、第２表示領域１２２には新たな動作モードに応じた情報が表示される。【００９７】
こうしてステップＳ１５の処理が終了すると、処理はステップＳ１６へ進む。ステップＳ１６では、制御部２２０Ａが、連携動作中であるか否かを判定する。ステップＳ１６における判定結果が肯定的であった場合（ステップＳ１６：Ｙ）には、処理はステップＳ１１へ戻る。以後、ステップＳ１６における判定結果が否定的となるまで、ステップＳ１１〜Ｓ１６の処理が繰り返される。そして、ステップＳ１６における判定結果が否定的となると（ステップＳ１６：Ｎ）、連係動作時における制御部２２０Ａの表示制御処理が終了する。【００９８】
なお、図５には、動作モードが第１動作モードから第２動作モードに変化した場合における表示例が示されている。図５においては、アイコンＡ〜Ｋの場合が例示されている。【００９９】
情報処理装置１００Ａと携帯端末装置２００Ａとが連携動作していない場合には、上述したように、情報処理装置１００Ａ及び携帯端末装置２００Ａのそれぞれにおいて、独自の表示が、表示部１２０及び表示部２３０に表示される。【０１００】
以上説明したように、第１実施例では、携帯端末装置２００Ａの動作モードを含む動作状態を特定すると、制御部２２０Ａは、情報処理装置１００Ａと携帯端末装置２００Ａとが連携動作しているとき、特定結果により、動作モードが変化したか否かを判定する。そして、動作モードが変化した場合、制御部２２０Ａは、動作モードの変化に応じて、情報処理装置１００Ａにおける第１表示領域１２１に表示させるアイコン及びその形状を含む表示指定を生成する。そして、制御部２２０Ａは、生成された表示指定を情報処理装置１００Ａへ送信する。【０１０１】
したがって、第１実施例によれば、携帯端末装置２００Ａに対する操作入力に際して、情報処理装置１００Ａの入力部１１０を適切に利用することができ、ユーザの利便性を向上させることができる。【０１０２】
また、第１実施例では、制御部２２０Ａが、動作モードの変化前には第１表示領域１２１に表示されていたが、動作モードの変化後には第１表示領域１２１に表示されなくなったアイコンの内、変化後の動作モードでも表示を確保することが定められたアイコンを、表示部２３０に表示させるアイコンに含ませる。そして、制御部２２０Ａは、表示部２３０に表示させるアイコンとして決定されたアイコンを含む、動作状態遷移後において表示部２３０に表示させる画像に応じた表示データを生成し、生成された表示データを表示部２３０へ送る。このため、アイコン表示を適切に行うことができ、利用者の利便性を向上させることができる。【０１０３】
また、第１実施例では、第１表示領域１２１に表示されるアイコンの形状は、携帯端末装置２００Ａと情報処理装置１００Ａとが連携動作していない場合（接続されていない場合を含む）に、同一機能の操作のために、表示部２３０に表示されるアイコンの形状と同一となっている。このため、第１表示領域１２１が配置された操作領域を利用して携帯端末装置２００Ａに対する入力を行う際に、ユーザは、違和感なく入力操作を行うことができる。【０１０４】
また、第１実施例では、第２表示領域１２２に、携帯端末装置２００Ａにおける動作状態の情報が表示される。このため、第１表示領域１２１が配置された操作領域を利用した入力を行うユーザの利便性を向上させることができる。【０１０５】
また、情報処理装置は、車載器であってもよいし、家屋内に置かれる装置であってもよい。【０１０６】
また、第１実施例では、情報処理装置１００Ａの入力部１１０における操作領域の形状が、操作領域の周辺領域に対して凹状の形状を有しており、触覚により識別可能な形状
としている。このため、ユーザによる操作領域の識別を容易に行うことができ、ユーザの利便性を向上させることができる。【０１０７】
また、第１実施例では、情報処理装置１００Ａが備える保持部１５０により、携帯端末装置２００Ａが着脱自在に保持される。このため、例えば、情報処理装置１００Ａが車載器の場合に、携帯端末装置２００Ａをユーザにとって固定的な位置に配置することができ、ユーザが情報処理装置１００Ａと携帯端末装置２００Ａとを同時に視認可能な位置に配置されることになるため、利用者の利便性を向上させることができる。【０１０８】
［第２実施例］
まず、本発明の第２実施例を、図６及び図７を主に参照して説明する。【０１０９】
＜構成＞
図６には、第２実施例に係る連携システム３００Ｂの構成が示されている。この図６に示されるように、連携システム３００Ｂは、上述した連携システム３００Ａ（図３参照）と比べて、情報処理装置１００Ａに代えて情報処理装置１００Ｂを備えること、及び、携帯端末装置２００Ａに代えて携帯端末装置２００Ｂとを備える点が異なっている。【０１１０】
上記の情報処理装置１００Ｂは、情報処理装置１００Ａと比べて、処理部１３０Ａに代えて制御部１３０Ｂを備える点が異なっている。また、上記の携帯端末装置２００Ｂは、携帯端末装置２００Ａと比べて、制御部２２０Ａに代えて処理部２２０Ｂを備える点が異なっている。以下、これらの相違点に主に着目して説明する。【０１１１】
なお、処理部２２０Ｂは、携帯端末装置２００Ｂと情報処理装置１００Ｂとが連携動作をしている場合には、携帯端末装置２００Ｂの動作状態を特定し、特定結果を情報処理装置１００Ｂ（より詳しくは、制御部１３０Ｂ）へ送信するようになっている。【０１１２】
上記の処理部２２０Ｂは、携帯端末装置２００Ｂと情報処理装置１００Ｂと連携動作しているときには、情報処理装置１００Ｂから送信された表示指定を受信する。そして、処理部２２０Ｂは、当該表示指定におけるアイコン割当を考慮して、表示部２３０に表示させる画像の表示データを生成する。こうして生成された表示データは、表示部２３０へ送られる。この結果、表示部２３０では、情報処理装置１００Ｂから送信された表示指定に従った表示が行われる。【０１１３】
上記の制御部１３０Ｂは、上述した制御部２２０Ａの場合と同様に、アイコン割当情報及び表示情報を内部に保持している。制御部１３０Ｂは、処理部２２０Ｂから送信された特定結果を受ける。そして、制御部１３０Ｂは、特定結果に応じて、携帯端末装置２００Ｂ（より詳しくは、処理部２２０Ｂ）へ送信する表示指定、及び、表示部１２０の表示画像に応じた表示データの生成を行う。なお、制御部１３０Ｂにより実行される、連携動作時の表示指定及び表示データの生成処理については、後述する。【０１１４】
生成された表示指定は、携帯端末装置２００Ｂへ送信される。また、生成された表示データは、表示部１２０へ送られる。【０１１５】
なお、制御部１３０Ｂは、携帯端末装置２００Ｂが情報処理装置１００Ｂと連携動作していないとき、独自な表示データを生成し、生成された表示データを表示部１２０へ送る。この結果、表示部１２０では、情報処理装置１００Ｂに独自な表示が行われる。【０１１６】
＜動作＞
次に、上記のように構成された連携システム３００Ｂの動作について、連係動作時における制御部１３０Ｂの処理に主に着目して説明する。なお、情報処理装置１００Ｂと携帯端末装置２００Ｂとは連携動作しているものとする。【０１１７】
図７に示されるように、連携動作時に、処理部２２０Ｂにより特定された携帯端末装置２００Ｂの動作状態の特定結果を受信すると、ステップＳ２１において、制御部１３０Ｂが、携帯端末装置２００Ｂにおいて動作状態遷移が発生したか否かを判定する。ステップＳ２１における判定結果が否定的であった場合（ステップＳ２１：Ｎ）には、処理は、後述するステップＳ２６へ進む。【０１１８】
新たな動作状態が特定され、ステップＳ２１における判定結果が肯定的となると（ステップＳ２１：Ｙ）、処理はステップＳ２２へ進む。ステップＳ２２では、制御部１３０Ｂが、動作モードが変化したか否かを判定する。【０１１９】
ステップＳ２２における判定結果が否定的であった場合（ステップＳ２２：Ｎ）には、処理はステップＳ２３へ進む。ステップＳ２３では、制御部１３０Ｂが、表示部１２０へ送る表示データを生成する。【０１２０】
なお、ステップＳ２３では、制御部１３０Ｂが、動作状態遷移に伴って、第２表示領域１２２に表示させる情報を変化させるか否かの情報変化判定を行う。情報変化判定の結果が否定的であった場合には、制御部１３０Ｂは、表示データを生成することなく、ステップＳ２３の処理を終了する。そして、処理はステップＳ２６へ進む。【０１２１】
情報変化判定の結果が肯定的であった場合には、制御部１３０Ｂは、内部に保持している上述した表示情報に基づいて、表示部１２０へ送る表示データを生成する。そして、制御部１３０Ｂは、生成された表示データを表示部１２０へ送る。この結果、第２表示領域１２２には、新たな動作状態に応じた情報が表示される。そして、ステップＳ２３の処理が終了し、処理はステップＳ２６へ進む。【０１２２】
上述したステップＳ２２における判定結果が肯定的であった場合（ステップＳ２２：Ｙ）には、処理はステップＳ２４へ進む。ステップＳ２４では、制御部１３０Ｂが、内部に保持している上述のアイコン割当情報に基づいて、第１表示領域１２１に表示させる新たな動作モードに応じたアイコン、及び、表示部２３０に表示させる新たな動作モードに応じたアイコンを決定する。【０１２３】
次に、ステップＳ２５において、制御部１３０Ｂが、表示部２３０に表示させるアイコンとして決定されたアイコンの表示指定を生成する。そして、制御部１３０Ｂは、生成された表示指定を処理部２２０Ｂへ送る。この結果、表示部２３０には、動作モード変化後の画像が表示される。【０１２４】
次いで、制御部１３０Ｂは、動作モードの変化に伴って、第２表示領域１２２に表示させる新たな動作モードを含む情報を生成する。引き続き、制御部１３０Ｂは、第１表示領域１２１に表示させるアイコン、及び、第２表示領域１２２に表示させる新たな動作モードに応じた情報を含む表示データを生成する。そして、制御部１３０Ｂは、生成された表示データを表示部１２０へ送る。この結果、第１表示領域１２１には、携帯端末装置２００Ｂの新たな動作モードに応じたアイコンが表示されるとともに、第２表示領域１２２には新たな動作モードに応じた情報が表示される。【０１２５】
こうしてステップＳ２５の処理が終了すると、処理はステップＳ２６へ進む。ステップＳ２６では、制御部１３０Ｂが、連携動作中であるか否かを判定する。ステップＳ２６における判定結果が肯定的であった場合（ステップＳ２６：Ｙ）には、処理はステップＳ２１へ戻る。以後、ステップＳ２６における判定結果が否定的となるまで、ステップＳ２１〜Ｓ２６の処理が繰り返される。そして、ステップＳ２６における判定結果が否定的となると（ステップＳ２６：Ｎ）、連係動作時における制御部１３０Ｂの表示制御処理が終了する。【０１２６】
なお、情報処理装置１００Ｂと携帯端末装置２００Ｂとが連携動作していない場合には、上述したように、情報処理装置１００Ｂ及び携帯端末装置２００Ｂのそれぞれにおいて、独自の表示が、表示部１２０及び表示部２３０に表示される。【０１２７】
以上説明したように、第２実施例によれば、携帯端末装置２００Ｂに対する操作入力に際して、上述した第１実施例の場合と同様の効果を奏することができる。【０１２８】
［第３実施例］
次いで、本発明の第３実施例を、図８〜図１１を主に参照して説明する。【０１２９】
＜構成＞
図８には、第３実施例に係る連携システム３００Ｃの構成が示されている。この図８に示されるように、連携システム３００Ｃは、上述した連携システム３００Ａ（図３参照）と比べて、情報処理装置１００Ａに代えて、情報処理装置１００Ｃを備えること、及び、携帯端末装置２００Ａに代えて、携帯端末装置２００Ｃとを備える点が異なっている。以下、これらの相違点に主に着目して説明する。【０１３０】
《情報処理装置１００Ｃの構成》
上記の情報処理装置１００Ｃは、図８に示されるように、情報処理装置１００Ａと比べて、処理部１３０Ａに代えて処理部１３０Ｃを備える点が異なっている。そして、情報処理装置１００Ｃは、携帯端末装置２００Ｃと連携する際の動作と、携帯端末装置２００Ｃと連携しない際の動作とを切り替えて実行するようになっている。【０１３１】
上記の処理部１３０Ｃは、中央処理装置（ＣＰＵ：Central Processing Unit）等を備えて構成されている。処理部１３０Ｃは、様々なプログラムを実行することにより、情報処理装置１００Ｃの機能を実現させるようになっている。【０１３２】
処理部１３０Ｃは、情報処理装置１００Ｃが携帯端末装置２００Ｃと連携動作しているときには、携帯端末装置２００Ｃから送信された表示指定を受信する。そして、処理部１３０Ｃは、当該表示指定におけるアイコン割当を考慮して、第１表示領域１２１に表示させるアイコンの表示データを生成する。こうして生成された表示データは、表示部１２０へ送られる。この結果、第１表示領域１２１では、情報処理装置１００Ｃから送信された表示指定に従ったアイコン表示が行われる。ここで、処理部１３０Ｃは、情報処理装置１００Ｃが携帯端末装置２００Ｃと連携動作しているときには、第２表示領域１２２には、携帯端末装置２００Ｃの動作モードに応じた表示を行わせる。【０１３３】
なお、処理部１３０Ｃは、情報処理装置１００Ｃが携帯端末装置２００Ｃと連携動作していないとき、独自な表示データを生成し、生成された表示データを表示部１２０へ送る。この結果、表示部１２０では、情報処理装置１００Ｃに独自な表示が行われる。【０１３４】
《携帯端末装置２００Ｃの構成》
上記の携帯端末装置２００Ｃは、図８に示されるように、上述した表示部２３０及びタッチパネルに加えて、センサ２１１と、無線通信部２１２と、制御部２２０Ｃとを備えている。なお、表示部２３０の表示画面上には、上述した第１実施例の場合と同様に、ユーザ操作を受付可能なタッチパネルが配置されている。【０１３５】
上記のセンサ２１１には、第３実施例では、加速度センサが含まれている。センサ２１１による検出結果は、制御部２２０Ｃへ送られる。なお、センサ２１１による加速度の検出結果を受けると、制御部２２０Ｃは、当該加速度の時間積分処理等を行って、携帯端末装置２００Ｃの移動速度（携帯端末装置２００Ｃとともに移動する移動体の移動速度）を取得するようになっている。【０１３６】
上記の無線通信部２１２は、通信網を介して、災害情報等の緊急度情報を受信する、そして、無線通信部２１２は、取得された緊急度情報を制御部２２０Ｃへ送る。なお、無線通信部２１２から送られた緊急度情報を受けると、制御部２２０Ｃは、当該緊急度情報に対応する緊急度を取得するようになっている。【０１３７】
上記の制御部２２０Ｃは、中央処理装置（ＣＰＵ：Central Processing Unit）等を備えて構成されている。制御部２２０Ｃは、様々なプログラムを実行することにより、携帯端末装置２００Ｃの機能を実現させるようになっている。【０１３８】
制御部２２０Ｃは、連携動作していないときにおける表示部２３０に表示させるアイコン及びその形状を内部に保持している。また、制御部２２０Ｃは、情報処理装置１００Ｃの入力部１１０における操作領域の配置情報を内部に保持している。【０１３９】
さらに、制御部２２０Ｃは、表示部２３０に表示されているアイコンに対応するタッチキー、及び、第１表示領域１２１に表示されたアイコンに対応するキーの利用頻度が高いと高くなる態様で定められるアイコンごとの重要度情報を内部に保持している。また、制御部２２０Ｃは、表示部２３０に表示されているアイコンごと、対応するタッチキーの操作の危険度を示す危険度情報を内部に保持している。【０１４０】
なお、危険度は、ユーザのアイコン注視の必要度に基づいて、予め定められる。例えば、アイコンがシークバーのアイコンの場合には、当該シークバーの位置調整のためにアイコン注視の必要性が高いので、危険度が高く定められる。また、アイコンが楽曲再生におけるトラックアップのアイコンの場合には、アイコン注視の必要度が低いので、危険度が低く定められる。また、アイコンが楽曲再生におけるリピートモード設定用のアイコンである場合には、リピートモードの表示が操作のたび変化し、アイコン注視の必要度が低いとはいえないので、危険度が、シークバーのアイコンの場合よりも低く、かつ、トラックアップのアイコンの場合よりも高く定められる。【０１４１】
制御部２２０Ｃは、上述したようにして、移動速度及び緊急度情報を取得する。そして、制御部２２０Ｃは、情報処理装置１００Ｃが携帯端末装置２００Ｃと連携動作しているとき、取得された移動速度及び緊急度情報に基づいて、第１表示モードと第２表示モードとを切り替える。【０１４２】
制御部２２０Ｃは、第１及び第２表示モードの双方について、表示部２３０に表示させる画像に対応する表示データを生成し、生成された表示データを表示部２３０へ送る。また、制御部２２０Ｃは、第２表示モードでは、処理部１３０Ｃへの表示指定を情報処理装置１００Ｃへ送信する。【０１４３】
ここで、第１表示モードは、情報処理装置１００Ｃの表示部１２０に、情報処理装置１００Ｃの動作モードに応じたアイコンを表示させる表示モードである。また、第２表示モードは、第１表示モードにおいて表示部２３０に表示されているアイコンの少なくとも一部を第１表示領域１２１に表示させ、第１表示領域１２１に表示させたアイコンを含むアイコンを表示部２３０に表示させない表示モードである。ここで、第２表示モードにおいては、第２表示領域１２２には、情報処理装置１００Ｃの動作モードに応じた表示を行わせる。【０１４４】
なお、制御部２２０Ｃが実行する処理については、後述する。【０１４５】
上記の表示部２３０は、制御部２２０Ｃから送られた表示データを受ける。そして、表示部２３０は、当該表示データに従った表示を行う。【０１４６】
なお、表示部２３０の表示画面上には、ユーザ操作を受付可能なタッチパネルが配置されている。そして、制御部２２０Ｃは、表示部２３０に表示されているアイコンに対応するタッチキー、及び、第１表示領域１２１に表示されたアイコンに対応するキーの利用頻度が高いと高くなる態様で定められるアイコンごとの重要度情報を内部に保持している。また、制御部２２０Ｃは、表示部２３０に表示されているアイコンごと、対応するタッチキーの操作の危険度を示す危険度情報を内部に保持している。【０１４７】
＜動作＞
次に、上記のように構成された連携システム３００Ｃの動作について、連係動作時における制御部２２０Ｃの表示制御処理に主に着目して説明する。ここで、表示制御処理には、表示モード決定処理及び表示実行処理が含まれる。【０１４８】
なお、情報処理装置１００Ｃと携帯端末装置２００Ｃとは連携動作しており、かつ、当初の表示モードは、第１表示モードであるものとする。【０１４９】
《表示モード決定処理》
まず、表示モード決定処理について説明する。【０１５０】
表示モード決定処理では、図９に示されるように、ステップＳ３１において、移動速度又は緊急度を新たに取得した制御部２２０Ｃが、移動速度が閾値速度よりも低いか否かを判定する。なお、閾値速度は、安全性の確保の観点から、実験、シミュレーション、経験に基づいて、予め定められる。【０１５１】
ステップＳ３１における判定の結果が肯定的であった場合（ステップＳ３１：Ｙ）には、処理はステップＳ３２へ進む。ステップＳ３２では、制御部２２０Ｃが、緊急度が閾値緊急度より低いか否かを判定する。なお、閾値緊急度は、安全性の確保の観点から、実験、シミュレーション、経験に基づいて、予め定められる。【０１５２】
ステップＳ３２における判定の結果が肯定的であった場合（ステップＳ３２：Ｙ）には、処理はステップＳ３３へ進む。ステップＳ３３では、制御部２２０Ｃが、表示モードを第１表示モードに決定する。そして、処理は、後述するステップＳ３５へ進む。【０１５３】
ステップＳ３１又はステップＳ３２における判定結果が否定的であった場合（ステップＳ３１：Ｎ、又は、ステップＳ３２：Ｎ）には、処理はステップＳ３４へ進む。ステップＳ３４では、制御部２２０Ｃが、表示モードを第２表示モードに決定する。そして、処理はステップＳ３５へ進む。【０１５４】
ステップＳ３５では、制御部２２０Ｃが、連携動作中であるか否かを判定する。ステップＳ３５における判定結果が肯定的であった場合（ステップＳ３５：Ｙ）には、処理はステップＳ３１へ戻る。以後、ステップＳ３５における判定結果が否定的となるまで、ステップＳ３１〜Ｓ３５の処理が繰り返される。そして、ステップＳ３５における判定結果が否定的となると（ステップＳ３５：Ｎ）、表示モード決定処理が終了する。【０１５５】
《表示実行処理》
次に、表示実行処理について説明する。【０１５６】
表示モード決定処理では、図１０に示されるように、ステップＳ４１において、制御部２２０Ｃが、表示モードが第１表示モードであるか否かを判定する。ステップＳ４１における判定結果が肯定的であった場合（ステップＳ４１：Ｙ）には、処理はステップＳ４２へ進む。【０１５７】
ステップＳ４２では、制御部２２０Ｃが、携帯端末装置２００Ｃが情報処理装置１００Ｃと連携動作していない場合に表示部２３０に表示される画像と同様の画像に対応する表示データを生成する。引き続き、制御部２２０Ｃは、生成された表示データを表示部２３０へ送る。この結果、表示部２３０では、携帯端末装置２００Ｃが情報処理装置１００Ｃと連携動作していない場合と同様な第１表示モードの表示が行われる。そして、処理はステップＳ４５へ進む。【０１５８】
上述したステップＳ４１における判定の結果が否定的であった場合（ステップＳ４１：Ｎ）には、処理はステップＳ４３へ進む。ステップＳ４３では、制御部２２０Ｃは、内部に保持された重要度情報、危険度情報及び配置情報に基づいて、操作に対する安全を確保できる範囲で、第１表示領域１２１に表示させるアイコンを決定する。【０１５９】
次に、ステップＳ４４において、制御部２２０Ｃが、情報処理装置１００Ｃへ送信する表示指定及び表示部２３０へ送る表示データを生成する。【０１６０】
ステップＳ４４における処理では、制御部２２０Ｃが、ステップＳ４３において決定された、第１表示領域１２１に表示させるアイコンの形状及び配置を含む表示指定を生成する。そして、制御部２２０Ｃは、生成された表示指定を情報処理装置１００Ｃへ送信する。この結果、第１表示領域１２１に、当該表示指定に従ったアイコンが表示される。【０１６１】
次に、制御部２２０Ｃは、表示部２３０に表示させるアイコンを決定する。こうして決定されたアイコンは、第１表示領域１２１に表示させるアイコン、及び、操作に際して安全上の問題があるアイコンを除いたアイコンである。すなわち、重要度は高いが、危険度が十分に低いアイコンが、第２表示モードにおいて、表示部２３０に表示されるアイコンに決定される。【０１６２】
引き続き、制御部２２０Ｃは、第１表示モードであれば、表示部２３０に表示されていた画像の一部であって、現時点の動作状態においては重要な情報を拡大表示させた画像を決定する。そして、制御部２２０Ｃは、決定された画像、及び、表示部２３０に表示させることに決定されたアイコンに対応する画像に応じた表示データを生成し、生成された表示データを表示部２３０へ送る。この結果、第２表示モードにおける表示部２３０での表示が行われる。【０１６３】
こうしてステップＳ４４の処理が終了すると、処理はステップＳ４５へ進む。ステップＳ４５では、制御部２２０Ｃが、連携動作中であるか否かを判定する。【０１６４】
ステップＳ４５における判定結果が肯定的であった場合（ステップＳ４５：Ｙ）には、処理はステップＳ４１へ戻る。以後、ステップＳ４５における判定結果が否定的となるまで、ステップＳ４１〜Ｓ４５の処理が繰り返される。そして、ステップＳ４５における判定結果が否定的となると（ステップＳ４５：Ｎ）、表示実行処理が終了する。【０１６５】
なお、情報処理装置１００Ｃと携帯端末装置２００Ｃとが連携動作していないときには、表示部２３０では、第１表示モードと同様の表示が行われ、表示部１２０に何の表示もなされない。【０１６６】
なお、図１１には、表示モードが第１表示モードから第２表示モードに変化した場合における表示例が示されている。ここで、図１１（Ａ）には、第１表示モードにおける表示例が示され、図１１（Ｂ）には、第２表示モードにおける表示例が示されている。【０１６７】
以上説明したように、第３実施例では、移動速度及び緊急度が取得されると、制御部２２０Ｃは、移動速度及び緊急度に基づいて、第１表示モードにおいて表示部２３０に表示されたアイコンを利用した操作をユーザに行わせることが適切か否かの判定を行う。この判定の結果が否定的であった場合には、制御部２２０Ｃは、表示モードを第２表示モードに決定する。引き続き、制御部２２０Ｃは、第１表示領域１２１に表示させるアイコンを決定し、決定されたアイコン第１表示領域１２１に表示させる。また、第１表示領域１２１に表示させるアイコン、及び、表示部２３０に表示されたアイコンに従った操作を行うことが適切ではないアイコンを除いたアイコンを、表示部２３０に表示させる。【０１６８】
したがって、第３実施例によれば、携帯端末装置２００Ｃへの操作入力に際して、携帯端末装置２００Ｃの外部状況に応じて、情報処理装置１００Ｃの入力部１１０を適宜利用することができる。【０１６９】
また、第３実施例では、制御部２２０Ｃは、第２表示モード時に第１表示領域１２１に表示されるアイコンを、アイコンのそれぞれに対応する操作領域を利用した入力の重要度に従って選択する。このため、第２表示モード時に第１表示領域１２１に表示されるアイコンを、適切に選択することができる。【０１７０】
また、第３実施例では、制御部２２０Ｃは、アイコンのそれぞれに対応する操作領域を利用した入力の頻度に従って、重要度を決定する。このため、アイコンの重要度を合理的に決定することができる。【０１７１】
また、第３実施例では、制御部２２０Ｃは、第２表示モード時に第１表示領域１２１に表示されるアイコンを、アイコンのそれぞれに対応する操作領域を利用した入力の危険度に従って選択する。このため、第２表示モード時に第１表示領域１２１に表示されるアイコンを、適切に選択することができる。【０１７２】
［実施例の変形］
本発明は、上記の第１〜第３実施例に限定されるものではなく、様々な変形が可能である。【０１７３】
例えば、上記の第１〜第３実施例では、情報処理装置の入力部における操作領域の形状を、操作領域の周辺領域に対して凹状の形状とした。これに対し、情報処理装置の入力部における操作領域の形状を、操作領域の周辺領域に対して凸状の形状としてもよい。この場合にも、ユーザによる操作領域の識別を容易に行うことができ、ユーザの利便性を向上させることができる。【０１７４】
また、上記の第１〜第３実施例における情報処理装置は、車載器であってもよいし、家屋内に置かれる装置であってもよい。【０１７５】
また、上記の第１〜第３実施例では、情報処理装置の入力部を、ハードキーを備えて構成するようにした。これに対し、情報処理装置の入力部を、タッチキー等のソフトキーを備えて構成するようにしてもよい。【０１７６】
また、上記の第１及び第２実施例では、予め定められたアイコン割当情報に基づいて、第１表示領域に表示させるアイコンを、及び、携帯表示部に表示させるアイコンを決定するようにした。これに対し、各動作モードで表示されたアイコンに応じた操作領域の使用頻度が高いほど優先順位を高くして、第１表示領域に表示させるアイコンを決定するようにしてもよい。【０１７７】
また、上記の第１及び第２実施例では、制御部が、携帯端末装置の動作状態ごとのアイコン割当情報及び第２表示領域における表示情報を内部に保持するようにした。これに対し、携帯端末装置の動作状態ごとのアイコン表示割当の情報及び第２表示領域における表示情報を外部サーバに保持させ、特定された動作状態に関するアイコン表示割当の情報及び第２表示領域における表示情報を、通信網を介して、当該外部サーバから取得するようにしてもよい。【０１７８】
また、上記の第１〜第３実施例では、表示先を切り替える表示物をアイコンとした。これに対し、アイコン以外の表示物の表示先を切り替えるようにしてもよい。【０１７９】
また、上記の第３実施例では、表示モードの切替に際して考慮する携帯端末装置の外部状況として、携帯端末装置ともに移動する移動体の移動速度と緊急度との組み合わせを採用した。これに対し、任意の外部状況に応じて、表示モードの切替を切り替えるようにしてもよい。【０１８０】
また、上記の第３実施例では、安全面から判断して、表示モードの切替を行うようにした。これに対し、ユーザの利便性等の他の面から表示モードの切替を行うようにしてもよい。【０１８１】
また、上記の第３実施例では、第２表示モードにおいて、第２表示領域には携帯端末装置の動作モードに応じた情報を表示させるようにした。これに対し、第２表示モードにおいて、移動速度や緊急度の情報等の外部状況に応じた情報を第２表示領域に表示させるようにしてもよい。【０１８２】
また、上記の第３実施例では、第１表示モードにおいて、情報処理装置の表示部に、携帯端末装置の動作モードに応じたアイコンを表示させるようした。これに対し、第１表示モードでは、情報処理装置の表示部に、何も表示させないようにしてもよい。
【図１】
2018117085.tif 000003
【図２】
2018117085.tif 000004
【図３】
2018117085.tif 000005
【図４】
2018117085.tif 000006
【図５】
2018117085.tif 000007
【図６】
2018117085.tif 000008
【図７】
2018117085.tif 000009
【図８】
2018117085.tif 000010
【図９】
2018117085.tif 000011
【図１０】
2018117085.tif 000012
【図１１】
2018117085.tif 000013
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
情報処理装置と接続可能な携帯端末装置であって、
前記携帯端末装置の動作モードに応じたアイコンを表示可能な携帯表示部と；
前記動作モードに応じたアイコンを、前記情報処理装置が備える入力部におけるユーザ操作を受付可能な操作領域に配置された第１表示領域に表示させ、前記第１表示領域に表示されるアイコンと異なる他のアイコンを前記携帯表示部に表示する表示制御部と；
を備えることを特徴とする携帯端末装置。
【請求項２】
前記第１表示領域に表示されるアイコンの形状は、前記携帯端末装置が備える携帯表示部に表示される場合と同一である、ことを特徴とする請求項１に記載の携帯端末装置。
【請求項３】
前記表示制御部は、前記特定された動作状態の情報を、前記第１表示領域とは異なる前記情報処理装置に配置された第２表示領域に表示させる、ことを特徴とする請求項１又は２に記載の携帯端末装置。
【請求項４】
前記表示制御部は、前記動作モードが第１動作モードから第２動作モードに変化した場合、前記第１動作モードでは前記第１表示領域に表示されていたが、前記第２動作モードでは前記第１表示領域に表示されなくなったアイコンを前記携帯端末装置が備える携帯表示部に表示させる、ことを特徴とする請求項１〜３のいずれか一項に記載の携帯端末装置。
【請求項５】
携帯端末装置と接続可能な情報処理装置であって、
ユーザ操作を受付可能な操作領域を有する入力部と；
前記操作領域に配置され、前記携帯端末装置の動作モードに応じたアイコンを表示する第１表示領域を有する情報表示部と；を備え、
前記アイコンが前記第１表示領域に表示され、前記アイコンと異なる他のアイコンが前記携帯端末装置の携帯表示部に表示される、
ことを特徴とする情報処理装置。
【請求項６】
前記操作領域は、触覚により識別可能な形状を有する、ことを特徴とする請求項５に記載の情報処理装置。
【請求項７】
前記操作領域は、前記操作領域の周辺領域に対して凸状の形状を有する、ことを特徴とする請求項６に記載の情報処理装置。
【請求項８】
前記操作領域は、前記操作領域の周辺領域に対して凹状の形状を有する、ことを特徴とする請求項６に記載の情報処理装置。
【請求項９】
前記情報表示部は、前記動作モードを含む前記携帯端末装置の動作状態を表示する第２表示領域を更に有する、ことを特徴とする請求項５〜８のいずれか一項に記載の情報処理装置。
【請求項１０】
前記携帯端末装置を着脱可能に保持する保持部を更に備える、ことを特徴とする請求項５〜９のいずれか一項に記載の情報処理装置。
【請求項１１】
情報処理装置と；携帯端末装置と；を備える連携システムであって、
前記情報処理装置は、
ユーザ操作を受付可能な操作領域を有する入力部と；
前記操作領域に配置され、アイコンを表示する表示領域を有する情報表示部と；を備え、
前記携帯端末装置は、
前記携帯端末装置の動作モードに応じたアイコンを表示可能な携帯表示部と；
前記動作モードに応じたアイコンを、前記表示領域に表示させ、前記表示領域に表示されるアイコンと異なる他のアイコンを前記携帯表示部に表示させる表示制御部と；を備える、
ことを特徴とする連携システム。
【請求項１２】
携帯端末装置の動作モードに応じたアイコンを表示可能な携帯表示部と；表示制御部と；を備え、情報処理装置と接続可能な前記携帯端末装置において使用される表示制御方法であって、
前記表示制御部が、前記動作モードを取得する工程と；
前記表示制御部が、前記動作モードに応じたアイコンを、前記情報処理装置が備える入力部におけるユーザ操作を受付可能な操作領域に配置された表示領域に表示させ、前記表示領域に表示されるアイコンと異なるアイコンを前記携帯表示部に表示させる表示制御工程と；
を備えることを特徴とする表示制御方法。
【請求項１３】
携帯端末装置が有するコンピュータに、請求項１２に記載の表示制御方法を実行させる、ことを特徴とする表示制御プログラム。
【手続補正２】
【補正対象書類名】明細書
【補正対象項目名】０００９
【補正方法】変更
【補正の内容】
【０００９】
請求項１に記載の発明は、情報処理装置と接続可能な携帯端末装置であって、前記携帯端末装置の動作モードに応じたアイコンを表示可能な携帯表示部と；前記動作モードに応じたアイコンを、前記情報処理装置が備える入力部におけるユーザ操作を受付可能な操作領域に配置された第１表示領域に表示させ、前記第１表示領域に表示されるアイコンと異なる他のアイコンを前記携帯表示部に表示する表示制御部と；を備えることを特徴とする携帯端末装置である。
【手続補正３】
【補正対象書類名】明細書
【補正対象項目名】００１０
【補正方法】変更
【補正の内容】
【００１０】
請求項５に記載の発明は、携帯端末装置と接続可能な情報処理装置であって、ユーザ操作を受付可能な操作領域を有する入力部と；前記操作領域に配置され、前記携帯端末装置の動作モードに応じたアイコンを表示する第１表示領域を有する情報表示部と；を備え、前記アイコンが前記第１表示領域に表示され、前記アイコンと異なる他のアイコンが前記携帯端末装置の携帯表示部に表示される、ことを特徴とする情報処理装置である。
【手続補正４】
【補正対象書類名】明細書
【補正対象項目名】００１１
【補正方法】変更
【補正の内容】
【００１１】
請求項１１に記載の発明は、情報処理装置と；携帯端末装置と；を備える連携システムであって、前記情報処理装置は、ユーザ操作を受付可能な操作領域を有する入力部と；前記操作領域に配置され、アイコンを表示する表示領域を有する情報表示部と；を備え、前記携帯端末装置は、前記携帯端末装置の動作モードに応じたアイコンを表示可能な携帯表示部と；前記動作モードに応じたアイコンを、前記表示領域に表示させ、前記表示領域に表示されるアイコンと異なる他のアイコンを前記携帯表示部に表示させる表示制御部と；を備える、ことを特徴とする連携システムである。
【手続補正５】
【補正対象書類名】明細書
【補正対象項目名】００１２
【補正方法】変更
【補正の内容】
【００１２】
請求項１２に記載の発明は、携帯端末装置の動作モードに応じたアイコンを表示可能な携帯表示部と；表示制御部と；を備え、情報処理装置と接続可能な前記携帯端末装置において使用される表示制御方法であって、前記表示制御部が、前記動作モードを取得する工程と；前記表示制御部が、前記動作モードに応じたアイコンを、前記情報処理装置が備える入力部におけるユーザ操作を受付可能な操作領域に配置された表示領域に表示させ、前記表示領域に表示されるアイコンと異なるアイコンを前記携帯表示部に表示させる表示制御工程と；を備えることを特徴とする表示制御方法である。
【国際調査報告】
2018117085.tif 000014
2018117085.tif 000015